(57)【要約】【課題】参照信号を送信する送信装置、あるいは該参照信号の送信電力を識別すること。【解決手段】無線通信システムでは、同一の参照信号系列を生成する送信装置群を含んで構成される。送信装置群に含まれる第１の送信装置は、第１のサブキャリア群に参照信号系列を配置して参照信号を送信する。送信装置群に含まれる第２の送信装置は、第２のサブキャリア群に参照信号系列を配置し、該参照信号系列の少なくとも一部を、一定の周波数間隔で位置する第２のサブキャリア群のサブキャリア各々に更に配置して参照信号を送信する。第１の送信装置と前記第２の送信装置は、参照信号を送信する際のサブキャリア当りの送信電力が異なる。【選択図】図６
2014045350.tif 000002
【特許請求の範囲】
【請求項１】
同一の参照信号系列を生成する送信装置群を含んで構成される無線通信システムであって、
前記送信装置群に含まれる第１の送信装置は、第１のサブキャリア群に前記参照信号系列を配置して参照信号を送信し、
前記送信装置群に含まれる第２の送信装置は、前記第１のサブキャリア群に前記参照信号系列を配置し、該参照信号系列の少なくとも一部を、前記第１のサブキャリア群のサブキャリアを含まない、第２のサブキャリア群のサブキャリア各々にさらに配置して参照信号を送信すること
を特徴とする無線通信システム。
【請求項２】
前記第１の送信装置と前記第２の送信装置は、前記参照信号を送信する際のサブキャリア当りの送信電力が異なることを特徴とする請求項１に記載の無線通信システム。
【請求項３】
前記無線通信システムは、
前記送信装置群から送信される参照信号を受信する受信装置をさらに備え、
前記受信装置は、前記第１のサブキャリア群に配置された前記参照信号と、前記第２のサブキャリア群に配置された前記参照信号との相関値を算出し、
算出した前記相関値に基づいて、前記送信装置群から受信した前記参照信号の送信電力を推定すること
を特徴とする請求項１または請求項２に記載の無線通信システム。
【請求項４】
前記受信装置は、
前記相関値と既知の閾値とを比較し、前記相関値が前記閾値より大きい場合と小さい場合とで、前記送信装置群から受信した前記参照信号の前記送信電力を異なる値と推定すること
を特徴とする請求項３に記載の無線通信システム。
【請求項５】
前記無線通信システムは、
前記送信装置群から送信される参照信号を受信する受信装置をさらに備え、
前記受信装置は、前記第１のサブキャリア群に配置された前記参照信号と、前記第２のサブキャリア群に配置された前記参照信号との相関値を算出し、
算出した前記相関値に基づいて、受信した前記参照信号の送信元を推定すること
を特徴とする請求項１に記載の無線通信システム。
【請求項６】
前記第２のサブキャリア群は、
参照信号に割り当てる送信電力に応じて決まるサブキャリア群であること
を特徴とする請求項１に記載の無線通信システム。
【請求項７】
前記無線通信システムは、
前記送信装置群から送信される前記参照信号を受信する受信装置をさらに備え、
前記受信装置は、前記第２のサブキャリア群の候補となる複数の候補サブキャリア群各々について、該候補サブキャリア群に配置された信号と前記第１のサブキャリア群に配置された前記参照信号との相関値を算出し、前記相関値が最も高くなる前記候補サブキャリア群を検出すること
を特徴とする請求項１に記載の無線通信システム。
【請求項８】
前記受信装置は、
前記検出した候補サブキャリア群に基づいて、前記送信装置群から受信した前記参照信号の送信電力を推定すること
を特徴とする請求項７に記載の無線通信システム。
【請求項９】
前記第２の送信装置は、
前記第２のサブキャリア群に配置される前記参照信号系列に対して、前記第１のサブキャリア群に配置される前記参照信号系列よりサブキャリア当たりの送信電力を低く割り当てること
を特徴とする請求項１に記載の無線通信システム。
【請求項１０】
前記第２の送信装置は、
前記第２のサブキャリア群の少なくとも一部に対して、前記参照信号系列とデータ信号とを同一のリソースに配置すること
を特徴とする請求項１に記載の無線通信システム。
【請求項１１】
第１のサブキャリア群に参照信号系列を配置して、参照信号を送信する他の送信装置を備える無線通信システムにおける送信装置であって、
前記参照信号系列と同一の系列を前記第１のサブキャリア群に配置し、前記同一の系列の少なくとも一部を、前記第１のサブキャリア群のサブキャリアを含まない、第２のサブキャリア群に配置するマッピング部を備えることを特徴とする送信装置。
【請求項１２】
前記第２のサブキャリア群は、参照信号に割り当てる送信電力に応じて決まるサブキャリア群であることを特徴とする請求項１１に記載の送信装置。
【請求項１３】
前記第２のサブキャリア群に配置する参照信号は、前記第１のサブキャリア群に配置する参照信号よりサブキャリア当たりの送信電力を低く割り当てることを特徴とする請求項１１に記載の送信装置。
【請求項１４】
前記マッピング部は、
第２のサブキャリア群に対してデータ信号を同一のリソースに、さらに割り当てることを特徴とする請求項１１に記載の送信装置。
【請求項１５】
送信装置から参照信号を受信する受信装置であって、
第１のサブキャリア群に配置された参照信号と、第２のサブキャリア群に配置された信号との相関値を算出する相関算出部を備え、
算出した前記相関値に基づいて、送信装置群から受信した前記参照信号の送信電力を推定すること
を特徴とする受信装置。
【請求項１６】
前記相関値に基づいて、受信した前記参照信号の送信電力を推定するパスロス算出部をさらに備え、
推定した送信電力に基づいて、受信した前記参照信号の送信元を推定すること
を特徴とする請求項１５に記載の受信装置。
【請求項１７】
前記パスロス算出部は、
前記相関値が、閾値より高い場合と低い場合とで推定する送信電力を変更することを特徴とする請求項１６に記載の受信装置。
【請求項１８】
送信装置から参照信号を受信する受信装置であって、
第１のサブキャリア群に配置された参照信号と、前記第１のサブキャリア群を含まない第２のサブキャリア群に参照信号を配置された参照信号との相関値を算出し、前記相関値が最も高くなる候補サブキャリア群を検出する相関算出部を備えることを特徴とする受信装置。
【請求項１９】
前記相関算出部で検出された候補サブキャリア群から、前記参照信号の送信電力を推定するパスロス算出部を、さらに備えることを特徴とする請求項１８に記載の受信装置。
【請求項２０】
第１のサブキャリア群に参照信号系列を配置して、参照信号を送信する他の送信装置を備える無線通信システムにおける無線通信方法であって、
前記参照信号系列と同一の系列を前記第１のサブキャリア群に配置するステップと、
前記同一の系列の少なくとも一部を、前記第１のサブキャリア群のサブキャリアを含まない、第２のサブキャリア群に配置するステップと、
を有すること
を特徴とする無線通信方法。
【請求項２１】
第１のサブキャリア群に配置された参照信号と、第２のサブキャリア群に配置された信号との相関値を算出するステップと、
算出した前記相関値に基づいて、送信装置群から受信した前記参照信号の送信電力を推定するステップと、
を有すること
を特徴とする無線通信方法。
【請求項２２】
前記相関値に基づいて、受信した前記参照信号の送信電力を推定するステップと、
推定した送信電力に基づいて、受信した前記参照信号の送信元を推定するステップと、
を有すること
を特徴とする請求項２１に記載の無線通信方法。
【発明の詳細な説明】
【技術分野】
【０００１】
本発明は、無線通信システム、送信装置、受信装置、および無線通信方法に関する。
【背景技術】
【０００２】
標準化団体の１つである３ＧＰＰ（第３世代パートナーシッププロジェクト：Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）では、第４世代の移動通信システムの１つである３ＧＰＰ  ＬＴＥ（ロングタームエボリューション：Ｌｏｎｇ  Ｔｅｒｍ  Ｅｖｏｌｕｔｉｏｎ）  Ｒｅｌ−１０の標準化がほぼ完了している。現在は、後継の拡張規格であるＬＴＥ  Ｒｅｌ−１１の標準化が行われている。
【０００３】
これらの移動通信システムは、一般に、セルラーシステムと呼ばれる。セルラーシステムは、セルと呼ばれる通信エリアをカバーする基地局装置（ｅＮＢ：Ｅｖｏｌｖｅｄ  Ｎｏｄｅ  Ｂとも称される）と該セル内に位置する移動局装置（ＵＥ：Ｕｓｅｒ  Ｅｑｕｉｐｍｅｎｔ）との間で通信を行う場合が想定されている。ここで、移動局装置は、接続している基地局装置をセルＩＤ（識別子：Ｉｄｅｎｔｉｆｉｃａｔｉｏｎ）によって識別する。移動局装置は、該セルＩＤにより送信信号の制御を行うことで、異なるセルとの間での干渉の抑圧を行うことを可能としている。
【０００４】
例えば、ＬＴＥ  Ｒｅｌ−８およびＬＴＥ  Ｒｅｌ−１０で用いられる下り回線（ＤＬ：Ｄｏｗｎｌｉｎｋ）参照信号の１つであるＣＲＳ（シーアールエス：Ｃｅｌｌ−ｓｐｅｃｉｆｉｃ  Ｒｅｆｅｒｅｎｃｅ  Ｓｉｇｎａｌ）は、セルＩＤ毎に異なる系列や異なる無線リソース割り当てを用いることで、各基地局装置からのＣＲＳを分離し、抽出することを可能としている（非特許文献１）。移動局装置において抽出されたＣＲＳは、同期のためのトラッキングだけでなく受信電力やパスロスの測定、受信品質の測定等様々な用途に使われる。
【０００５】
一方、ＬＴＥ  Ｒｅｌ−１１では、ヘテロジーニアスネットワークが検討されている。ヘテロジーニアスネットワークは、比較的広範囲の通信エリア（マクロエリア）をカバーするマクロ基地局装置に加え、マクロエリア内にオーバレイして小範囲の通信エリア（ピコセル）を形成するマクロ基地局より最大送信電力の低いＬＰＮ（低電力ノード：Ｌｏｗ  Ｐｏｗｅｒ  Ｎｏｄｅ、遠隔無線ヘッド、ＲＲＨ：Ｒｅｍｏｔｅ  Ｒａｄｉｏ  Ｈｅａｄ）を設置することでマクロエリア内のキャパシティを増大させる。以後、マクロ基地局装置およびＬＰＮを総じて基地局装置と称する。
【０００６】
ここで、キャパシティを増大させるためには、マクロエリアを構成するマクロ基地局装置とＬＰＮとが異なる無線リソースの制御を行う必要がある。この際、ＬＰＮに割り当てるセルＩＤには、マクロ基地局装置と異なるセルＩＤを割り当てることで、物理的に異なるセルとするシナリオ（ＣｏＭＰ  ｓｃｅｎａｒｉｏ  ３）と、マクロ基地局装置に割り当てられているセルＩＤと同一のセルＩＤをマクロエリア内のＬＰＮにも割り当てるシナリオ（ＣｏＭＰ  ｓｃｅｎａｒｉｏ  ４）とが検討されている。
【先行技術文献】
【非特許文献】
【０００７】
【非特許文献１】３ＧＰＰ  ＴＳ３６．２１１  ｖ１０．４．０
【発明の概要】
【発明が解決しようとする課題】
【０００８】
しかしながら、前述のＣｏＭＰ  ｓｃｅｎａｒｉｏ  ４の様に複数の基地局装置に同一のセルＩＤが割り当てられる場合、ＣＲＳのようにセルＩＤによって系列や無線リソース配置が定義される参照信号は、複数の基地局装置から同一の信号が送信されることになる。その結果、移動局装置は、受信した参照信号がどの基地局装置から送信された参照信号であるかを識別することができないという問題があった。
【０００９】
本発明は上記の点に鑑みてなされたものであり、参照信号を送信する主な基地局装置、あるいはその送信電力を識別することができる。無線通信システム、送信装置、受信装置、無線通信方法、およびプログラムを提供することを課題とする。
【課題を解決するための手段】
【００１０】
（１）本発明は上記の課題を解決するためになされたものであり、本発明の一態様は、
同一の参照信号系列を生成する送信装置群を含んで構成される無線通信システムであって、前記送信装置群に含まれる第１の送信装置は、第１のサブキャリア群に前記参照信号系列を配置して参照信号を送信し、前記送信装置群に含まれる第２の送信装置は、前記第１のサブキャリア群に前記参照信号系列を配置し、該参照信号系列の少なくとも一部を、前記第１のサブキャリア群のサブキャリアを含まない、第２のサブキャリア群のサブキャリア各々にさらに配置して参照信号を送信することを特徴とする。
【００１１】
（２）また、本発明の一態様は、（１）に記載の無線通信システムであって、前記第１の送信装置と前記第２の送信装置は、前記参照信号を送信する際のサブキャリア当りの送信電力が異なることを特徴とする。
【００１２】
（３）また、本発明の一態様は、（１）または（２）に記載の無線通信システムであって、前記無線通信システムは、前記送信装置群から送信される参照信号を受信する受信装置をさらに備え、前記受信装置は、前記第１のサブキャリア群に配置された前記参照信号と、前記第２のサブキャリア群に配置された前記参照信号との相関値を算出し、算出した前記相関値に基づいて、前記送信装置群から受信した前記参照信号の送信電力を推定することを特徴とする。
【００１３】
（４）また、本発明の一態様は、（３）に記載の無線通信システムであって、前記受信装置は、前記相関値と既知の閾値とを比較し、前記相関値が前記閾値より大きい場合と小さい場合とで、前記送信装置群から受信した前記参照信号の前記送信電力を異なる値と推定することを特徴とする。
【００１４】
（５）また、本発明の一態様は、（４）に記載の無線通信システムであって、前記無線通信システムは、前記送信装置群から送信される参照信号を受信する受信装置をさらに備え、前記受信装置は、前記第１のサブキャリア群に配置された前記参照信号と、前記第２のサブキャリア群に配置された前記参照信号との相関値を算出し、算出した前記相関値に基づいて、受信した前記参照信号の送信元を推定することを特徴とする。
【００１５】
（６）また、本発明の一態様は、（１）に記載の無線通信システムであって、前記第２のサブキャリア群は、参照信号に割り当てる送信電力に応じて決まるサブキャリア群であることを特徴とする。
【００１６】
（７）また、本発明の一態様は、（１）に記載の無線通信システムであって、前記無線通信システムは、前記送信装置群から送信される前記参照信号を受信する受信装置をさらに備え、前記受信装置は、前記第２のサブキャリア群の候補となる複数の候補サブキャリア群各々について、該候補サブキャリア群に配置された信号と前記第１のサブキャリア群に配置された前記参照信号との相関値を算出し、前記相関値が最も高くなる前記候補サブキャリア群を検出することを特徴とする。
【００１７】
（８）また、本発明の一態様は、（７）に記載の無線通信システムであって、前記受信装置は、前記検出した候補サブキャリア群に基づいて、前記送信装置群から受信した前記参照信号の送信電力を推定することを特徴とする。
【００１８】
（９）また、本発明の一態様は、（１）に記載の無線通信システムであって、前記第２の送信装置は、前記第２のサブキャリア群に配置される前記参照信号系列に対して、前記第１のサブキャリア群に配置される前記参照信号系列よりサブキャリア当たりの送信電力を低く割り当てることを特徴とする。
【００１９】
（１０）また、本発明の一態様は、（１）に記載の無線通信システムであって、前記第２の送信装置は、前記第２のサブキャリア群の少なくとも一部に対して、前記参照信号系列とデータ信号とを同一のリソースに配置することを特徴とする。
【００２０】
（１１）また、本発明の一態様は、第１のサブキャリア群に参照信号系列を配置して、参照信号を送信する他の送信装置を備える無線通信システムにおける送信装置であって、前記参照信号系列と同一の系列を前記第１のサブキャリア群に配置し、前記同一の系列の少なくとも一部を、前記第１のサブキャリア群のサブキャリアを含まない、第２のサブキャリア群に配置するマッピング部を備えることを特徴とする。
【００２１】
（１２）また、本発明の一態様は、（１１）に記載の送信装置であって、前記第２のサブキャリア群は、参照信号に割り当てる送信電力に応じて決まるサブキャリア群であることを特徴とする。
【００２２】
（１３）また、本発明の一態様は、（１１）に記載の送信装置であって、前記第２のサブキャリア群に配置する参照信号は、前記第１のサブキャリア群に配置する参照信号よりサブキャリア当たりの送信電力を低く割り当てることを特徴とする。
【００２３】
（１４）また、本発明の一態様は、（１１）に記載の送信装置であって、前記マッピング部は、第２のサブキャリア群に対してデータ信号を同一のリソースに、さらに割り当てることを特徴とする。
【００２４】
（１５）また、本発明の一態様は、送信装置から参照信号を受信する受信装置であって、第１のサブキャリア群に配置された参照信号と、第２のサブキャリア群に配置された信号との相関値を算出する相関算出部を備え、算出した前記相関値に基づいて、前記送信装置群から受信した前記参照信号の送信電力を推定することを特徴とする。
【００２５】
（１６）また、本発明の一態様は、（１５）に記載の受信装置であって、前記相関値に基づいて、受信した前記参照信号の送信電力を推定するパスロス算出部をさらに備え、推定した送信電力に基づいて、受信した前記参照信号の送信元を推定することを特徴とする。
【００２６】
（１７）また、本発明の一態様は、（１５）に記載の受信装置であって、前記パスロス算出部は、前記相関値が、閾値より高い場合と低い場合とで推定する送信電力を変更することを特徴とする。
【００２７】
（１８）また、本発明の一態様は、（１５）に記載の受信装置であって、第１のサブキャリア群に配置された参照信号と、前記第１のサブキャリア群を含まない第２のサブキャリア群に参照信号を配置された参照信号との相関値を算出し、前記相関値が最も高くなる候補サブキャリア群を検出する相関算出部を備えることを特徴とする。
【００２８】
（１９）また、本発明の一態様は、（１８）に記載の受信装置であって、前記相関算出部で検出された候補サブキャリア群から、前記参照信号の送信電力を推定するパスロス算出部を、さらに備えることを特徴とする。
【００２９】
（２０）また、本発明の一態様は、第１のサブキャリア群に参照信号系列を配置して、参照信号を送信する他の送信装置を備える無線通信システムにおける無線通信方法であって、前記参照信号系列と同一の系列を前記第１のサブキャリア群に配置するステップと、
前記同一の系列の少なくとも一部を、前記第１のサブキャリア群のサブキャリアを含まない、第２のサブキャリア群に配置するステップと、を有することを特徴とする。
【００３０】
（２１）また、本発明の一態様は、第１のサブキャリア群に参照信号系列を配置して、参照信号を送信する他の送信装置を備える無線通信システムにおける無線通信方法であって、第１のサブキャリア群に配置された参照信号と、第２のサブキャリア群に配置された信号との相関値を算出するステップと、算出した前記相関値に基づいて、前記送信装置群から受信した前記参照信号の送信電力を推定するステップと、を有することを特徴とする。
【００３１】
（２２）また、本発明の一態様は、（２１）に記載の無線通信方法であって、前記相関値に基づいて、受信した前記参照信号の送信電力を推定するステップと、推定した送信電力に基づいて、受信した前記参照信号の送信元を推定するステップと、を有することを特徴とする。
【発明の効果】
【００３２】
本発明によれば、参照信号を送信する主な送信装置、あるいはその送信電力を識別することができる。
【図面の簡単な説明】
【００３３】
【図１】本発明の実施形態に係るアンテナポート番号が０であり、セルＩＤが０である基地局装置から送信されるＣＲＳの周波数リソース配置の一例を示す概念図である。
【図２】本発明の第１の実施形態に係る無線通信システム構成の一例を示す概略図である。
【図３】本実施形態に係るマクロ基地局装置におけるＣＲＳの割当リソースの一例を示す概略図である。
【図４】本実施形態に係る基地局装置（ＬＰＮ）におけるＣＲＳの割当リソースの一例を示す概略図である。
【図５】本実施形態に係る移動局装置の構成の一例を示す概略ブロック図である。
【図６】本実施形態に係るマクロ基地局装置の構成の一例を示す概略ブロック図である。
【図７】本実施形態に係る移動局装置のデータ伝送帯域としてサブキャリアｋ＝０〜１１が割り当てられ、ＣＲＳが配置されている場合のデータ信号の配置の一例を示す概略図である。
【図８】本実施形態に係る基地局装置（ＬＰＮ）の構成の一例を示す概略ブロック図である。
【図９】本発明の第２の実施形態に係る移動局装置の構成の一例を示す概略ブロック図である。
【図１０】本実施形態に係る参照信号配置の一例を示す概略図である。
【図１１】本実施形態に係るデータ信号配置の一例を示す概略図である。
【図１２】本発明の第３の実施形態に係る送信装置（ＬＰＮ）の構成の一例を示す概略ブロック図である。
【図１３】本実施形態に係る送信電力と周波数間隔の関係を示すテーブルの一例を示す図である。
【図１４】本実施形態に係るマッピング部におけるＣＲＳの配置の一例を示す概念図である。
【図１５】本実施形態に係るマッピング部におけるＣＲＳの配置の一例を示す概念図である。
【図１６】本実施形態に係る移動局装置の構成の一例を示す概略ブロック図である。
【図１７】本実施形態に係る送信電力と周波数間隔の関係を示すテーブルの一例を示す図である。
【発明を実施するための形態】
【００３４】
以下、図面を参照しながら本発明の各実施形態について詳しく説明する。
各実施形態を説明する前に、ヘテロジーニアスネットワークのＣｏＭＰ  ｓｃｅｎａｒｉｏ  ４において従来のＣＲＳを用いたパスロス測定を行った場合に発生する問題について具体的に説明する。
ＣＲＳで使用される参照信号系列は次式（１）によって定義される。
【００３５】
【数１】
2014045350.tif 000003
【００３６】
ここで、ＮＲＢは、参照信号系列を配置する帯域を構成するリソースブロックの数である。リソースブロックは、１２サブキャリアから成る周波数リソース割り当ての最小単位である。ｃ（ｉ）は、確定的に生成される擬似ランダム系列のｉ番目のビットである。ＬＴＥ  Ｒｅｌ−１１では、擬似ランダム系列として２つのＭ系列の排他的論理和で生成されるＧｏｌｄ系列が用いられる。２つのＭ系列のうちの１つのＭ系列は、初期値としてＣｉｎｉｔが用いられる。初期値Ｃｉｎｉｔは、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル毎に次式（２）により定められる。
【００３７】
【数２】
2014045350.tif 000004
【００３８】
ここで、ｎｓは、系列が配置されるスロット番号、ｌは、系列が配置されるＯＦＤＭシンボル番号を示している。また、ＮcellIDは、セルＩＤである。また、ＮＣＰは、０、または１の値である。これは、ＣＰ（ＩＦＦＴ（Ｉｎｖｅｒｓｅ  Ｆａｓｔ  Ｆｏｕｒｉｅｒ  Ｔｒａｎｓｆｏｒｍ）後にシンボル後方一部をコピーした信号：Ｃｙｃｌｉｃ  Ｐｒｅｆｉｘ）に使用されるフォーマットによって定まる。式（１）および式（２）から、同一のＯＦＤＭシンボルに配置される参照信号系列ｒ（ｍ）は、同一のセルＩＤの基地局間では、同一の信号になる。異なるセルＩＤ（識別子：Ｉｄｅｎｔｉｆｉｃａｔｉｏｎ）の基地局間では、異なる参照信号系列ｒ（ｍ）が使用される。
【００３９】
また、参照信号系列ｒ（ｍ）が配置される周波数サブキャリアのインデックスｋｌは、次式（３）によって定義される。
【００４０】
【数３】
2014045350.tif 000005
【００４１】
ここで、νは、アンテナポート番号と、ＯＦＤＭシンボル番号ｌと、によって定まる０、または３の値である。νｓｈｉｆｔは次式によって定められる。
【００４２】
【数４】
2014045350.tif 000006
【００４３】
例えば、図１にセルＩＤが０であり、アンテナポート番号が０の基地局装置から送信されるＣＲＳ（シーアールエス：Ｃｅｌｌ−ｓｐｅｃｉｆｉｃ  Ｒｅｆｅｒｅｎｃｅ  Ｓｉｇｎａｌ）の周波数リソース配置を示す。
図１に示すように、ｋ番目の参照信号系列ｒ（ｋ）は、例えば、ｋ＝０、ｋ＝６、ｋ＝１２のように６サブキャリア毎に配置されている。配置されるサブキャリアは、セルＩＤが１変化することに１サブキャリアずつシフトする。これにより、サブキャリアは、最大６つのセル間で周波数領域における直交性が維持される。
【００４４】
ＣＲＳは、異なるセルＩＤ間において周波数領域で直交、または系列によるランダム化を適用する。これにより、移動局装置は、任意の基地局装置からのＣＲＳのみを抽出する。
しかしながら、ＣＲＳの動作はＬＴＥ  Ｒｅｌ−１０までセルラーシステムにあるような、１つのセルに１つの基地局という状況を想定している。ゆえに、ＬＴＥ  Ｒｅｌ−１１以降で適用されるヘテロジーニアスネットワークのＣｏＭＰ  ｓｃｅｎａｒｉｏ  ４においては、以下のような問題が発生する。
【００４５】
マクロ基地局装置とＬＰＮ（低電力ノード：Ｌｏｗ  Ｐｏｗｅｒ  Ｎｏｄｅ、）とは、それらのセルの大きさが異なることから、異なる送信電力を使用することが想定されている。Ｒｅｌ−１１において、例えば、マクロ基地局の送信電力は、４６ｄＢｍであり、ＬＰＮの送信電力は、３０ｄＢｍであることが想定される。
【００４６】
このような送信電力環境において、同一のセルＩＤを割り当てられたマクロ基地局装置とＬＰＮが同一の参照信号を送信した際、移動局装置は、受信した参照信号がどちらの送信電力で送信されたものかを判別することができない。すなわち、移動局装置は、受信している参照信号受信電力がどちらの送信装置から送信されたものかを判別できない。
【００４７】
例えば、ＬＴＥ  Ｒｅｌ−１０ではＣＲＳを用いたパスロス算出の際に次式を用いる。
【００４８】
【数５】
2014045350.tif 000007
【００４９】
ここで、ＲｅｆｅｒｅｎｃｅＳｉｇｎａｌＰｏｗｅｒ（参照信号電力）は、マクロ基地局装置が送信する参照信号の送信電力を示すセル固有のパラメータであり、上位レイヤ（図示せず）から通知される。ＲＳＲＰ（参照信号受信電力：Ｒｅｆｅｒｅｎｃｅ  Ｓｉｇｎａｌ  Ｒｅｃｅｉｖｅｄ  Ｐｏｗｅｒ）は、物理レイヤ（図示せず）による受信電力の測定値に対してフィルタリング処理を施した参照信号の受信電力である。ＲＳＲＰは、例えば、次式（６）を用いて算出される。
【００５０】
【数６】
2014045350.tif 000008
【００５１】
ただし、ｔ’は、前回ＲＳＲＰが測定されてからの経過時間である。ａは、システムで設定される０から１の範囲の任意のフィルター係数である。Ｐｒ（ｔ）は、時刻ｔで受信した参照信号の受信電力の測定値である。
【００５２】
式（５）は、同一のセルＩＤを有するマクロ基地局装置と、ＬＰＮと、から同時にＳＦＮ（Ｓｉｎｇｌｅ  Ｆｒｅｑｕｅｎｃｙ  Ｎｅｔｗｏｒｋ）マナーで送信されたＣＲＳの受信電力のうち、１つのＲｅｆｅｒｅｎｃｅＳｉｇｎａｌＰｏｗｅｒを用いてパスロスを算出することを意味している。算出されたパスロスは、上り回線（ＵＬ：Ｕｐｌｉｎｋ）において移動局装置で目標受信電力を達成するために移動局装置が送信電力を制御する送信電力制御に用いられる。
【００５３】
ここで、移動局装置がＬＰＮ付近に位置した場合、すなわち、実際に受信したＣＲＳが主にＬＰＮからのものであった場合、移動局装置が式（５）で算出するパスロスは、ＬＰＮの送信電力がマクロ基地局装置より小さいため、ＬＰＮからの実際のパスロス値より大きく見積もることになる。この結果、移動局装置は、不必要に大きな送信電力で送信することになり、与干渉の増加などの問題を引き起こす。
【００５４】
一方、仮にＲｅｆｅｒｅｎｃｅＳｉｇｎａｌＰｏｗｅｒをＬＰＮの送信電力として式（５）に適用した場合には、逆にマクロ基地局装置付近に存在する移動局装置は、パスロス値を実際より小さく見積もることになる。移動局装置からの信号は、マクロ基地局装置において目標受信電力を達成できず所望の通信品質を満たさないという問題を引き起こすことがある。
【００５５】
このような問題を解決するには、受信した参照信号がマクロ基地局装置からの参照信号であるか、ＬＰＮからの参照信号であるかを移動局装置が識別すること、あるいは受信した参照信号の送信電力を移動局装置が正しく認識することが有効である。ただし、マクロ基地局装置とＬＰＮとで異なる系列の参照信号や、異なる周波数リソースを割り当てた場合に、ヘテロジーニアスネットワークが想定されていないＲｅｌ−１０までの規格に準拠した移動局装置は、ＣＲＳを正しく処理できない。
【００５６】
具体的には、Ｒｅｌ−１０までのシステムは、１つのセルＩＤに１つの基地局装置が存在する場合しか想定されていない。このため、参照信号の使い分けを行った場合に、Ｒｅｌ−１０以前の移動局装置は、ＬＰＮからの参照信号を認識できない。マクロ基地局装置から送信された参照信号を用いたパスロス推定等を行うことから、移動局装置は、例えば、ＬＰＮ付近に位置した場合など、極めて高い送信電力を用いることで干渉問題を発生させることになる。
【００５７】
以下の各実施形態では、ヘテロジーニアスネットワークの環境下において各移動局装置がＣＲＳの送信電力を適切に設定する。移動局装置は、これにより、ＣＲＳを用いて参照信号を送信する基地局装置、あるいは該参照信号の送信電力を識別し、パスロスの測定の誤差を軽減する手法を記載する。
【００５８】
（第１の実施形態）
本発明の第１の実施形態は、移動局装置（受信装置）１−１、１−２が受信した参照信号が、マクロ基地局装置２から送信された参照信号かＬＰＮ３から送信された参照信号かを識別する移動局装置を備える、無線通信システムである。本実施形態では、ＬＰＮ３においてＣＲＳに用いる参照信号系列の少なくとも一部を、異なるサブキャリアに複製して割り当てる形態を示す。
【００５９】
図２は、本発明の第１の実施形態に係る無線通信システムＳ１構成の一例である。
無線通信システムＳ１は、移動局装置１−１、１−２、マクロ基地局装置２、ＬＰＮ３、コアネットワーク交換機４と、を含んで構成される。セルＣＥ１は、マクロ基地局装置２のセルである。移動局装置１−１、１−２、マクロ基地局装置２、ＬＰＮ３はセルＣＥ１内に位置する。マクロ基地局装置２とＬＰＮ３とは、コアネットワーク交換機４を介して接続される。マクロ基地局装置２とＬＰＮ３との間で送受信する情報は、遅延がなしで、もしくは、わずかな遅延量で共有される。なお、各装置の数は、一例であり、これに限定されない。
【００６０】
移動局装置１−１、１−２は、マクロ基地局装置２またはＬＰＮ３の少なくとも一方と無線通信を行う。ただし、マクロ基地局装置２、ＬＰＮ３には、同一のセルＩＤが割り当てられている。すなわち、移動局装置１−１、１−２は、セルＩＤを用いて通信相手がマクロ基地局装置２であるかＬＰＮ３であるかを識別することはできない。
【００６１】
マクロ基地局装置２およびＬＰＮ３は、それぞれセルＩＤに基づく参照信号を生成する。マクロ基地局装置２およびＬＰＮ３は、各々生成した参照信号を移動局装置１−１および１−２に送信する。なお、ここでは該参照信号としてＣＲＳを用いて説明するが、同様にセルＩＤに基づく参照信号であればこれに限定されない。マクロ基地局装置２およびＬＰＮ３は、移動局装置１−１および１−２に下りデータ信号を送信する。
【００６２】
なお、下りデータ信号は、マクロ基地局装置２およびＬＰＮ３のいずれかから送信されても良いし、マクロ基地局装置２とＬＰＮ３が共に同一の下りデータ信号を協調して送信しても良い。以下では、マクロ基地局装置２が移動局装置１−１に下りデータ信号を、ＬＰＮ３が移動局装置１−２に対し下りデータ信号を送信するものとして説明する。
【００６３】
なお、本実施形態において、移動局装置１として記載することがあるが、これは、移動局装置１−１および１−２の総称である。また、符号を付さず移動局装置（受信装置）と記載する場合、移動局装置１に限らず、他の移動局装置を含んでいることを意味する。また、基地局装置と記載することがあるが、これは、マクロ基地局装置２とＬＰＮ３との総称である。
【００６４】
図３は、本実施形態に係るマクロ基地局装置２におけるＣＲＳの割当リソースの一例を示す概略図である。
図１における参照信号系列ｒ（ｍ）の割当と同様、すなわち、参照信号系列ｒ（ｍ）は、ｋ＝６ｍ（ｍ＝０、１、・・・、ＮＣＲＳ−１）となる第１のサブキャリア群（＝ｋ１とする）に割り当られている。ここで、ＮＣＲＳは、第１のサブキャリア群で送信する参照信号系列の総数である。
【００６５】
図４は、本実施形態に係るＬＰＮ３におけるＣＲＳの割当リソースの一例を示す概略図である。
ＬＰＮ３にけるＣＲＳの割り当てリソースは、マクロ基地局装置２（図３）と同様に６サブキャリア毎に参照信号系列ｒ（ｍ）を割り当てる。ＬＰＮ３にけるＣＲＳの割り当てリソースは、同一の参照信号系列ｒ（ｍ）をｋ＝６ｍ＋ｎとなる第２のサブキャリア群（＝ｋ２とする）にも割り当てる。図４では、一例としてｎ＝２とする。つまり本実施形態では、マクロ基地局装置２における参照信号系列ｒ（ｍ）は、ｋ＝ｋ１となる第１のサブキャリア群において従来と同様に送信される。ＬＰＮ３における参照信号系列ｒ（ｍ）は、ｋ＝ｋ２となる第２のサブキャリア群においても送信される。
【００６６】
マクロ基地局装置２およびＬＰＮ３からＣＲＳが送信された場合、移動局装置１は、従来と同様にＣＲＳの検出を行なえる。移動局装置１は、検出したＣＲＳとｎサブキャリア離れた位置の信号との相関を算出する。移動局装置１は、算出した該相関を用いて、受信したＣＲＳがどの基地局装置から送信された信号かを識別する。例えば、図２における移動局装置１−１のようにマクロ基地局装置２付近に存在する場合、移動局装置１−１は、ＬＰＮ３から送信されたＣＲＳの受信電力がマクロ基地局装置２から送信されたＣＲＳの受信電力より低い。このため、移動局装置１−１は、主にマクロ基地局装置２から送信されたＣＲＳを受信する。マクロ基地局装置２におけるＣＲＳの割当リソースは、ｋ＝ｋ１とｋ＝ｋ２とには、異なる信号がサブキャリア群に割り当てられている。このため、ｋ＝ｋ１とｋ＝ｋ２との２つのサブキャリア群の間において算出される相関は、低くなる。
【００６７】
一方で、図２における移動局装置１−２のようにＬＰＮ３付近に存在する場合、移動局装置１−２は、受信するＣＲＳが主にＬＰＮ３からとなる。すなわち、移動局装置１−２が受信する信号は、同一の信号がｋ＝ｋ１とｋ＝ｋ２のサブキャリアに割当てられた信号となっている。このため、移動局装置１−２がこれらの信号から算出する相関は、高い相関値となる。移動局装置１は、受信する信号から算出する相関の相関値により、パスロス算出時に式（５）で用いるＲｅｆｅｒｅｎｃｅＳｉｇｎａｌＰｏｗｅｒの値を補正する。これにより、パスロス推定の誤差を軽減し、上り回線において従来方式より適切な送信電力制御を行うことが可能となる。
【００６８】
図５は、本実施形態に係る移動局装置１の構成の一例を示す概略ブロック図である。
移動局装置１は、受信アンテナ１０１と、無線受信部１０２と、ＦＦＴ部１０３と、相関算出部１０４と、デマッピング部１０５と、パスロス算出部１０６と、データ信号処理部１０７と、上り信号生成部１０９と、送信電力制御部１１０と、送信アンテナ１１１とを含んで構成される。移動局装置１は、その他に一般的に公知の移動局装置の機能を有する。
【００６９】
無線受信部１０２は、受信アンテナ１０１で受信された受信信号に対し、ダウンコンバートを行う。無線受信部１０２は、Ａ／Ｄ（Ａｎａｌｏｇ  ｔｏ  Ｄｉｇｉｔａｌ）変換によりアナログ信号からデジタル信号へ変換した後、ＣＰの除去処理を行う。無線受信部１０２は、ＣＰの除去処理した信号をＦＦＴ部１０３に出力する。
【００７０】
ＦＦＴ部１０３は、入力された信号を高速フーリエ変換（ＦＦＴ：Ｆａｓｔ  Ｆｏｕｒｉｅｒ  Ｔｒａｎｓｆｏｒｍ）により時間領域の信号（時間信号）から周波数領域の信号（周波数信号）に変換する。ＦＦＴ部１０３は、周波数信号を相関算出部１０４、およびデマッピング部１０５に出力する。
【００７１】
相関算出部１０４は、移動局装置１が属しているセルのセルＩＤを保有する。相関算出部１０４は、ＦＦＴ部１０３から入力された周波数信号に基づいて、式（３）で算出される第１のサブキャリア群ｋ１で送信されるＮＣＲＳ箇所の受信周波数特性Ｘ（ｍ）（ｍ＝０、１、…、ＮＣＲＳ−１）と、式（７）により算出される第２のサブキャリア群ｋ２で送信されるＮＣＲＳ箇所の受信周波数特性Ｙ（ｍ）（ｍ＝０、１、…、ＮＣＲＳ−１）との相関値Ｃを算出する。
【００７２】
【数７】
2014045350.tif 000009
【００７３】
【数８】
2014045350.tif 000010
【００７４】
相関算出部１０４は、式（８）を用いて相関値を算出する。これにより、ｋ１とｋ２において同一の信号が送信されている場合のみ、相関算出部１０４は、高い相関値を得る。相関算出部１０４は、算出した相関値と、予め定められた閾値とを用いてＣＲＳの主な送信装置を識別する判定を行う。
【００７５】
例えば、相関算出部１０４で算出された相関値Ｃが、予め定められている閾値より低い場合、移動局装置１が受信した受信信号は、マクロ基地局装置２から送信された信号と判定する。相関算出部１０４で算出された相関値Ｃが、予め定められている閾値より高い場合、移動局装置１が受信した受信信号は、ＬＰＮ３から送信された信号と判定する。相関算出部１０４は、送信装置を識別した判定結果を、例えば、それぞれ１ビットの情報（以下、「識別情報」と称する）Ｚ＝０、Ｚ＝１として、デマッピング部１０５、およびパスロス算出部１０６に出力する。
【００７６】
デマッピング部１０５は、ＦＦＴ部１０３から周波数信号が、相関算出部１０４から識別情報が入力されると、例えば、ＣＲＳの主な送信装置がマクロ基地局装置２であった場合（Ｚ＝０）、式（３）で算出される第１のサブキャリア群ｋ１の信号を参照信号として抽出する。デマッピング部１０５は、抽出した参照信号をパスロス算出部１０６に出力する。
【００７７】
一方、ＣＲＳの主な送信装置がＬＰＮ３であった場合（Ｚ＝１）、デマッピング部１０５は、周波数信号のうち式（３）で算出された第１のサブキャリア群ｋ１の信号と、式（５）で算出された第２のサブキャリア群ｋ２の信号を参照信号として抽出する。デマッピング部１０５は、抽出した参照信号をパスロス算出部１０６に出力する。また、下りデータ信号が存在する場合、デマッピング部１０５は、自装置に割当てられた帯域の信号をデータ信号として抽出する。デマッピング部１０５は、抽出したデータ信号をデータ信号処理部１０７に出力する。
【００７８】
パスロス算出部１０６は、上位レイヤ（図示せず）からマクロ基地局装置２の参照信号の送信電力を示すＲｅｆｅｒｅｎｃｅＳｉｇｎａｌＰｏｗｅｒ（以下「送信電力情報」）が通知される。また、パスロス算出部１０６は、相関算出部５０４から識別情報が入力されると、送信電力情報と、識別情報とを用いて式（９）より送信電力Ｐｔの推定値を算出する。
【００７９】
【数９】
2014045350.tif 000011
【００８０】
ここで、αは、マクロ基地局装置２とＬＰＮ３の送信電力比の基準値であり、例えば、マクロ基地局装置２の送信電力が４６ｄＢｍ、ＬＰＮ３の送信電力が３０ｄＢｍと推定される場合、α＝１６ｄＢとなる。なお、マクロ基地局装置２とＬＰＮ３の送信電力比は、必ずしも一律とならなくてもよく、統計量から定められた任意の値がαとして設定されてよい。パスロス算出部１０６は、デマッピング部１０５から入力された参照信号より受信電力をＲＳＲＰとして算出する。なお、パスロス算出部１０６は、時刻ｔにおけるＲＳＲＰを、例えば、式（６）を用いて算出して良い。パスロス算出部１０６は、算出したＰｔとＲＳＲＰ（ｔ）とから、パスロス値を次式（１０）により算出する。
【００８１】
【数１０】
2014045350.tif 000012
【００８２】
パスロス算出部１０６は、算出したバスロス値ＰＬを送信電力制御部１１０に出力する。
データ信号処理部１０７は、デマッピング部１０５から入力されたデータ信号に対し、等化処理、復調処理、復号処理等を施し、データのビット系列を取得する。
【００８３】
上り信号生成部１０９は、移動局装置１からマクロ基地局装置２、またはＬＰＮ３に送信される上り伝送信号を生成する。上り信号生成部１０９は、生成した上り伝送信号を送信電力制御部１１０に出力する。ここで、上り伝送信号とは、データ信号や制御信号、参照信号など任意の信号であってもよい。
【００８４】
送信電力制御部１１０は、パスロス算出部１０６から入力されたパスロス値を補償するように上り伝送用信号の送信電力を設定する。例えば、送信電力制御部１１０は、送信電力を式（１１）により設定する。
【００８５】
【数１１】
2014045350.tif 000013
【００８６】
ここで、ＰＭＡＸは、移動局装置１で設定可能な最大送信電力であり、ＭＵＬは、上り伝送で使用する帯域幅（１を最小の割当単位とする）である。また、Ｐ０は、移動局装置１で所望の通信品質を実現するための目標受信電力であり、上り伝送が開始される前にマクロ基地局装置２、またはＬＰＮ３から通知される。
【００８７】
なお、Ｐ０は、移動局装置１において任意の補正が行われてもよい。また、式（１１）は、本実施形態を説明するための必要最小限のパラメータを用いているが、その他、変調方式などにより異なる送信電力の補正が行われてもよく、基地局装置からフィードバックされた受信電力の過不足による補正が行なわれてもよい。
【００８８】
また、ＰＬに対して、１以下の補正値を乗算することで、ＰＬの小さい移動局装置１から送信された信号がＰＬの大きい移動局装置１から送信された信号より基地局装置において受信電力が大きくなるように制御されてもよい。また、式（１１）は、送信電力を制御する上り伝送信号の種類（データ信号や制御信号、参照信号等）により、異なる式が用いられてもよい。
【００８９】
送信電力制御部１１０は、調整した送信電力で上り伝送信号を送信アンテナ１１１から送信する。なお、本実施形態の説明の都合上、送信アンテナ１１１と受信アンテナ１０１とは、異なる構成として記載しているが、同一のアンテナで送信、受信を行ってもよい。
【００９０】
図６は、本実施形態に係るマクロ基地局装置２の構成の一例を示す概略ブロック図である。
マクロ基地局装置２は、データ信号生成部２０１と、参照信号生成部２０２と、マッピング部２０３と、ＩＦＦＴ部２０４と、無線送信部２０５と、アンテナ２０６とを含んで構成される。マクロ基地局装置２は、その他に一般的な公知の基地局装置の機能を有する。
【００９１】
データ信号生成部２０１は、移動局装置１に対し送信するデータ信号のビット系列が入力される。データ信号生成部２０１は、生成したデータ信号のビット系列に対し、誤り訂正符号化処理、ＱＰＳＫ（Ｑｕａｄｒａｔｕｒｅ  Ｐｈａｓｅ  Ｓｈｉｆｔ  Ｋｅｙｉｎｇ）や１６ＱＡＭ（１６−ａｒｙ  Ｑｕａｄｒａｔｕｒｅ  Ａｍｐｌｉｔｕｄｅ  Ｍｏｄｕｌａｔｉｏｎ）などの変調処理等を行う。データ信号生成部２０１は、該処理したデータ信号を、周波数領域のデータ信号としてマッピング部２０３に出力する。
【００９２】
なお、ＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等のシングルキャリア伝送方式が用いられる場合、データ信号生成部２０１は、変調処理したデータ信号に対して離散フーリエ変換（ＤＦＴ：Ｄｉｓｃｒｅｔｅ  Ｆｏｕｒｉｅｒ  Ｔｒａｎｓｆｏｒｍ）等により時間領域から周波数領域への変換処理が行われても良い。
【００９３】
また、本実施形態において、データ信号生成部２０１は、移動局装置１に対してのデータ信号の生成を行うものとしているが、複数の移動局装置に対し同時にデータ信号の生成および送信を行う場合、データ信号生成処理を移動局装置の数だけ並列に行ってもよい。この場合、データ信号生成部２０１は、生成したデータ信号各々をマッピング部３０３に出力する。
【００９４】
参照信号生成部２０２は、セル内に存在する移動局装置１（移動局装置１−１および１−２）に対して共通な参照信号であるＣＲＳの信号系列を式（１）により生成する。なお、本実施形態では、本発明の一態様を容易に説明するため、ＣＲＳのみを生成する構成としているが、異なる用途に用いられる複数の参照信号が生成されてもよい。参照信号生成部２０２は、生成したＣＲＳをマッピング部２０３に出力する。
【００９５】
マッピング部２０３は、データ信号生成部２０１からデータ信号が、参照信号生成部２０２からＣＲＳが各々入力されると、各信号を周波数領域に配置する。マッピング部２０３は、ＣＲＳを配置するサブキャリアｋ１を前述の式（３）より決定、すなわち、セルＩＤにより決定される６サブキャリア間隔のサブキャリアに配置する。マッピング部２０３は、データ信号を移動局装置１に対し割り当てられた帯域内のサブキャリアのうち、ＣＲＳを配置しないサブキャリアに対して配置する。
【００９６】
例えば、図７に移動局装置１のデータ伝送帯域としてサブキャリアｋ＝０〜１１が割り当てられ、ＣＲＳが図３のように配置されている場合のデータ信号の配置の一例を示す。図７は、ｘ番目のデータ信号をｄ（ｘ）として、１０個のデータ信号ｄ（０）〜ｄ（９）が、ＣＲＳの配置されていないｋ＝１、２、３、４、５、７、８、９、１０、１１に配置されている。マッピング部２０３は、データ信号および参照信号から構成される周波数領域の送信信号をＩＦＦＴ部２０４に出力する。
【００９７】
ＩＦＦＴ部２０４は、マッピング部２０３から入力された周波数領域の送信信号に対し、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理を行う。ＩＦＦＴ部２０４は、このＩＦＦＴ処理により送信信号を周波数信号から時間信号へ変換する。ＩＦＦＴ部２０４は、変換した時間領域の送信信号を無線送信部２０５に出力する。
【００９８】
無線送信部２０５は、ＩＦＦＴ部２０４から入力された時間信号に対し、ＩＦＦＴ後のシンボル前方にＣＰ（Ｃｙｃｌｉｃ  Ｐｒｅｆｉｘ  ：  ＩＦＦＴ後のシンボル後方一部をコピーした信号）（以下「ＣＰ処理信号」と称する）を挿入する。無線送信部２０５は、ＣＰ処理信号をＤ／Ａ（Ｄｉｇｉｔａｌ  ｔｏ  Ａｎａｌｏｇ）変換によりデジタル信号からアナログ信号に変換する。無線送信部２０５は、変換したアナログ信号をアップコンバートする。無線送信部２０５は、アップコンバートしたアナログ信号を、アンテナ２０６を介して送信する。
【００９９】
図８は、本実施形態に係るＬＰＮ３の構成の一例を示す概略ブロック図である。
ＬＰＮ３は、データ信号生成部３０１と、参照信号生成部３０２と、マッピング部３０３と、ＩＦＦＴ部３０４と、無線送信部３０５と、アンテナ３０６とを含んで構成される。ＬＰＮ３は、その他に一般的な公知のＬＰＮの機能を有する。
【０１００】
データ信号生成部３０１は、移動局装置１に対し送信するデータ信号のビット系列が入力される。データ信号生成部３０１は、生成したデータ信号のビット系列に対し、誤り訂正符号化処理、ＱＰＳＫや１６ＱＡＭなどの変調処理等を行う。データ信号生成部３０１は、該処理したデータ信号を、周波数領域のデータ信号としてマッピング部３０３に出力する。
【０１０１】
なお、ＤＦＴ−Ｓ−ＯＦＤＭ等のシングルキャリア伝送方式が用いられる場合、データ信号生成部３０１は、変調処理したデータ信号に対して離散フーリエ変換（ＤＦＴ）等により時間領域から周波数領域への変換処理が行われても良い。
【０１０２】
また、本実施形態において、データ信号生成部３０１は、移動局装置１に対してのデータ信号の生成を行うものとしているが、複数の移動局装置に対し同時にデータ信号の生成および送信を行う場合、データ信号生成処理が移動局装置の数だけ並列に行ってもよい。この場合、データ信号生成部３０１は、生成したデータ信号各々をマッピング部３０３に出力する。
【０１０３】
参照信号生成部３０２は、セル内に存在する移動局装置１（移動局装置１−１および１−２）に対して共通な参照信号であるＣＲＳの信号系列を式（１）により生成する。なお、本実施形態では、本発明の一態様を容易に説明するため、ＣＲＳのみを生成する構成としているが、異なる用途に用いられる複数の参照信号が生成されてもよい。参照信号生成部３０２は、生成したＣＲＳをマッピング部３０３に出力する。
【０１０４】
マッピング部３０３は、データ信号生成部３０１から下りデータ信号が、参照信号生成部３０２からＣＲＳが各々入力されると、各々の信号を周波数領域に配置する。この際、マッピング部３０３は、入力されたＣＲＳを前述の式（３）より決定される第１のサブキャリア群ｋ１に配置するとともに、予めシステムで定められたサブキャリア間隔ｎに基づいて式（７）により決定される第２のサブキャリア群ｋ２に対しても同一のＣＲＳを配置する。
【０１０５】
なお、マッピング部３０３は、ｋ２に含まれるサブキャリアが信号を配置可能なシステム帯域を超える場合、該サブキャリアには配置しない構成として良い。また、マッピング部３０３は、移動局装置１に対し割当られる帯域内のサブキャリアのうち、ＣＲＳが配置されていないサブキャリアに対してデータ信号を配置する。周波数領域の送信信号は、配置したデータ信号および参照信号から構成される。この場合、マッピング部３０３は、周波数領域の送信信号をＩＦＦＴ部３０４に出力する。
【０１０６】
ＩＦＦＴ部３０４は、マッピング部３０３から入力された周波数領域の送信信号に対し、逆高速フーリエ変換（ＩＦＦＴ）処理を行う。ＩＦＦＴ部３０４は、このＩＦＦＴ処理により送信信号を周波数信号から時間信号へ変換する。ＩＦＦＴ部３０４は、変換した時間信号を無線送信部３０５に出力する。
【０１０７】
無線送信部３０５は、ＩＦＦＴ部３０４から入力された時間信号に対し、ＩＦＦＴ後のシンボル前方にＣＰを挿入する。無線送信部３０５は、ＣＰ処理信号をＤ／Ａ変換によりデジタル信号からアナログ信号に変換する。無線送信部３０５は、変換したアナログ信号をアップコンバートする。無線送信部３０５は、アップコンバートしたアナログ信号を、アンテナ３０６を介して送信する。
【０１０８】
なお、本実施形態において、基地局装置は、同一のセルＩＤを有し、２種類の送信電力を持つ基地局装置が存在する場合の識別方法であることから、例えば、同一の送信電力を有するマクロ基地局装置２が複数存在する場合、および同一の送信電力を有するＬＰＮ３が複数存在する場合においても同様の手段を用いることで適用可能である。
【０１０９】
また、本実施形態において、送信電力の推定の為にマクロ基地局装置２とＬＰＮ３とで異なるＣＲＳの割当方法を用いる形態を示したが、本発明の一態様の適用は、マクロ基地局装置２とＬＰＮ３に限定されない。例えば、移動局装置１が、受信した参照信号の主となる基地局装置を識別するために、同一のセルＩＤを共有する複数の基地局装置（送信装置）のいずれかにおいて、本実施形態のＬＰＮ３と同様の参照信号の送信方法を用いてもよい。
【０１１０】
また、本実施形態において、ＬＰＮ３で第１のサブキャリア群ｋ１が送信するＣＲＳの全てを第２のサブキャリア群ｋ２に複製して配置する形態を示したが、第１のサブキャリア群ｋ１のうちの一部のサブキャリアのＣＲＳのみを複製しても良い。この場合、複製するＣＲＳのサブキャリアの数は、ＬＰＮ３と移動局装置１との双方で予め既知であることが望ましい。さらに、移動局装置１は、該サブキャリアのみで相関を算出することが望ましい。
【０１１１】
なお、本実施形態では、第１のサブキャリア群と第２のサブキャリア群との相関値により該サブキャリア群で送信された参照信号の基地局装置を識別することで、パスロス評価の際に用いる送信電力値Ｐｔを決定する形態を示したが、本発明の適用可能なケースとしては、パスロス評価に限定されず、移動局装置１においてその他の用途においても本発明に記載の基地局装置の識別結果を用いてもよい。
【０１１２】
（第１の実施形態の変形例）
第１の実施形態において、移動局装置１は、式（８）で得られた相関値が、予め定められた閾値より高いか否かによりパスロス推定に使用する送信電力を切り替える形態を示したが、得られた相関値が閾値とほぼ同値である場合、移動局装置１が受信したＣＲＳは、マクロ基地局装置２から送信されたものかＬＰＮ３から送信されたものかが曖昧になる。移動局装置１は、式（９）において上段を使用するか下段を使用するかによって、算出するパスロスが大きく変化する。よって、相関算出部１０４は、パスロス算出部１０６に対し、算出した相関値Ｃを通知し、パスロス算出部１０６は式（１２）を用いてＰｔを算出する一形態をとることができる。
【０１１３】
【数１２】
2014045350.tif 000014
【０１１４】
ここで、βは、相関値が１に近づくほど、ＰｔがＬＰＮ３の送信電力に近づくように設定される係数である。
【０１１５】
このように、本実施形態によれば、送信装置群に含まれる第１の送信装置（マクロ基地局装置２）は、第１のサブキャリア群ｋ１に参照信号系列を配置して参照信号を送信する。送信装置群に含まれる第２の送信装置（ＬＰＮ３）は、第２のサブキャリア群ｋ２に参照信号系列を配置し、該参照信号系列の少なくとも一部を、一定の周波数間隔で位置する第２のサブキャリア群ｋ２のサブキャリア各々に更に配置して参照信号を送信する。
【０１１６】
第１の送信装置（マクロ基地局装置２）と第２の送信装置（ＬＰＮ３）は、参照信号を送信する際のサブキャリア当りの送信電力が異なる。移動局装置（移動局装置１）は、第１のサブキャリア群ｋ１に配置された参照信号と、第２のサブキャリア群ｋ２に配置された参照信号との相関値を算出する。移動局装置１は、相関値に基づいて、送信装置群から受信した参照信号の送信電力を推定する。移動局装置１は、相関値と既知の閾値とを比較し、相関値が閾値より大きい場合と小さい場合とで、送信装置群から受信した参照信号の送信電力を異なる値と推定する。
【０１１７】
これにより、参照信号を送信する送信装置、あるいは該参照信号の送信電力を識別することができる。また、パスロスの推定誤差を低減し、移動局装置１の上り回線において、従来技術より適切な送信電力の制御を行うことができる。
【０１１８】
（第２の実施形態）
以下、図面を参照しながら本発明の第２の実施形態について詳しく説明する。
第１の実施形態では、ＬＰＮ３は、第１のサブキャリア群に割り当てられる参照信号系列を、異なる第２のサブキャリア群に複製して割当て送信する。これにより、移動局装置１は、受信した参照信号の相関を算出することで基地局装置の識別する形態を示した。しかしながら、複製先の第２のサブキャリア群は、下りデータ信号に割当可能であるため、該サブキャリア群に参照信号を割当てることで、データ信号の伝送レートが低下する懸念が存在する。
【０１１９】
そこで本発明に係る第２の実施形態では、複製する参照信号とデータ信号とを重複させて割当てることにより、伝送レートの低減を抑えることを示す。
無線通信システムＳ２は、第１の実施形態における無線通信システムＳ１と同様の構成であるので説明は省略する。なお、各装置の数は、一例であり、これに限定されない。
【０１２０】
本実施形態に係るマクロ基地局装置２と、第１の実施形態に係るマクロ基地局装置２とを比較すると、同様の構成であるので説明は省略する。本実施形態に係るＬＰＮ３と、第１の実施形態に係るＬＰＮ３とを比較すると、同様の構成であるが、マッピング部３０３における動作が異なるため、説明する。
【０１２１】
マッピング部３０３は、参照信号生成部３０２から入力された参照信号と、データ信号生成部３０１から入力されたデータ信号とをサブキャリアに配置する。配置方法については後述する。
【０１２２】
図９は、本実施形態に係る移動局装置１ａの構成の一例を示す概略ブロック図である。
本実施形態に係る移動局装置１ａの構成と、第１の実施形態に係る移動局装置１の構成とを比較すると、キャンセル部１０８ａが異なる。それ以外の構成は、同様であるため、説明は省略する。
【０１２３】
キャンセル部１０８ａは、相関算出部１０４から識別情報が入力されると、データ信号に重複して割当てられた参照信号のキャンセル処理を行う。キャンセル部１０８ａは、ＦＦＴ部１０３から入力された周波数信号と、相関算出部５０４から入力された識別情報とに基づき、例えば、識別情報がＺ＝０であった場合、キャンセル部１０８ａは、受信信号がマクロ基地局装置２からのものと判定する。この場合、キャンセル部１０８ａは、データ信号に重複して割当てられた参照信号のキャンセル処理を行わずに、デマッピング部１０５に出力する。
【０１２４】
一方、識別情報がＺ＝１であった場合、キャンセル部１０８ａは、受信信号がＬＰＮ３からのものと判定する。この場合、キャンセル部１０８ａは、データ信号に重複した参照信号のキャンセル処理を行う。図１０および図１１を用いてキャンセル処理の一例を示す。
【０１２５】
図１０は、本実施形態に係る参照信号の配置の一例を示す概略図である。
マッピング部３０３は、参照信号生成部３０２から入力された参照信号系列ｒ（ｍ）を、セルＩＤおよび式（３）から決定される第１のサブキャリア群ｋ１（ｋ＝０、６、１２、１８）に配置する。また、マッピング部３０３は、式（７）から算出される第２のサブキャリア群ｋ２（ｋ＝２、８、１４、２０）に対して、系列ｒ（ｍ）を複製して配置する。なお、マッピング部３０３は、第２のサブキャリア群ｋ２に配置される参照信号をデータ信号と重複させて配置するため、１以下の重みｐを用いてｐ×ｒ（ｍ）として配置することで電力の増加を抑える。
【０１２６】
マッピング部３０３は、データ信号生成部３０１から入力された各移動局装置へのデータ信号を、サブキャリアに配置する。ただし、マッピング部３０３は、第１のサブキャリア群ｋ１に配置された参照信号と重複させないため、第１のサブキャリア群ｋ１に対して、データ信号を割り当てない。
【０１２７】
図１１は、データ信号の伝送帯域としてｋ＝０〜１１が指定され、参照信号が図１０のように配置された場合のデータ信号の配置の一例を示す概略図である。データ信号は、第１のサブキャリア群ｋ１に配置された参照信号と重複させず、第２のサブキャリア群ｋ２に配置された参照信号とのみ重複させる。
【０１２８】
このため、マッピング部３０３は、ｋ＝０〜１１のサブキャリアのうち第１のサブキャリア群ｋ１に該当しない１０本のサブキャリアに配置する。すなわち、マッピング部３０３は、１番目のデータ信号ｄ（０）から１０番目のデータ信号ｄ（９）までを、ｋ＝１〜５およびｋ＝７〜１１に配置する。
【０１２９】
なお、マッピング部３０３は、第２のサブキャリア群ｋ２において参照信号と重複して割当てるデータ信号ｄ（１）およびｄ（６）について、電力の増加を抑えるため、１以下の重みｑを乗算し、ｑ×ｄ（１）およびｑ×ｄ（６）として配置してもよい。すなわち、マッピング部３０３は、第２のサブキャリア群ｋ２に配置される参照信号系列に対して、第１のサブキャリア群ｋ１に配置される参照信号系列よりサブキャリア当たりの送信電力を低く割り当ててもよい。
【０１３０】
キャンセル部１０８ａがキャンセル処理を行なうＬＰＮ３から受信した信号は、図１０と図１１の信号が加算されたものとなっている。すなわち、ＬＰＮ３から受信した信号は、ｋ＝２に、ｐ×ｒ（０）とｄ（１）とが加算された信号、ｋ＝８には、ｐ×ｒ（１）とｄ（６）とが加算された信号である。ＬＰＮ３から受信した信号は、更にフェージングの影響を受けた信号となっている。
【０１３１】
ここで、２つのサブキャリア間で同様のフェージングを受けている場合、ｋ＝０とｋ＝２には同一の参照信号系列が割り当てられているため、キャンセル部１０８ａは、ｋ＝０の受信信号にｐを乗算したものをｋ＝２の受信信号から減算する。これにより、キャンセル部１０８ａは、ＬＰＮ３から受信した信号からデータ信号ｄ（１）と雑音とを抽出する。
【０１３２】
キャンセル部１０８ａは、受信信号におけるｋ＝ｋ１の信号に、ＬＰＮ３で用いられた重みｐを乗算したものを、ｋ＝ｋ２の信号から減算する。これにより、キャンセル部１０８ａは、キャンセル処理を行う。なお、キャンセル処理は、システム帯域全体で行ってもよいし、移動局装置１ａへのデータ信号が割り当てられている帯域のみで行ってもよい。キャンセル部１０８ａは、キャンセル処理後の信号をデマッピング部１０５に出力する。
【０１３３】
このように、本実施形態によれば、送信装置群に含まれる第１の送信装置（マクロ基地局装置２）は、第１のサブキャリア群ｋ１に参照信号系列を配置して参照信号を送信する。送信装置群に含まれる第２の送信装置（ＬＰＮ３）は、第２のサブキャリア群ｋ２に参照信号系列を配置し、該参照信号系列の少なくとも一部を、一定の周波数間隔で位置する第２のサブキャリア群ｋ２のサブキャリア各々に更に配置して参照信号を送信する。
【０１３４】
第１の送信装置（マクロ基地局装置２）と第２の送信装置（ＬＰＮ３）は、参照信号を送信する際のサブキャリア当りの送信電力が異なる。移動局装置（移動局装置１ａ）は、第１のサブキャリア群ｋ１に配置された参照信号と、第２のサブキャリア群ｋ２に配置された参照信号との相関値を算出する。移動局装置は、相関値に基づいて、送信装置群から受信した参照信号の送信電力を推定する。移動局装置は、相関値と既知の閾値とを比較し、相関値が閾値より大きい場合と小さい場合とで、送信装置群から受信した参照信号の送信電力を異なる値と推定する。
【０１３５】
第２の送信装置（ＬＰＮ３）は、第２のサブキャリア群ｋ２に配置される参照信号系列に対して、第１のサブキャリア群ｋ１に配置される参照信号系列よりサブキャリア当たりの送信電力を低く割り当てる。第２の送信装置（ＬＰＮ３）は、第２のサブキャリア群ｋ２の少なくとも一部に対して、前記参照信号系列と多重してデータ信号を配置する。
【０１３６】
これにより、複製した参照信号をデータ信号と重複させて割り当てることで、データ信号の伝送レート低下を低減しつつ、参照信号によるパスロスの推定精度を向上させる事ができる。
【０１３７】
（第３の実施形態）
以下、図面を参照しながら本発明の第３の実施形態について詳しく説明する。
本実施形態において、同一のセルＩＤが割り当てられる基地局装置が複数存在する場合、移動局装置１ｂは、受信する参照信号から該参照信号の送信電力を識別することを示す。
【０１３８】
第１の実施形態では、同一のセルＩＤを割り当てられるマクロ基地局装置２とＬＰＮ３とにおいて、各々の基地局装置の送信電力の差が一定である場合、式（９）を用いて、パスロスの推定精度を向上させた。ただし、ＬＰＮ３の送信電力は、可変であり、かつＬＰＮ３の送信電力が移動局装置１に通知されない場合、ＬＰＮ３の送信電力の変動により移動局装置１におけるパスロスの推定精度が変化した。
これに対し、本実施形態において、ＬＰＮ３ａは、ＣＲＳを複製してサブキャリアに配置する周波数位置を送信電力に応じて変更する。
【０１３９】
無線通信システムＳ３は、移動局装置１ｂ、マクロ基地局装置２、ＬＰＮ３ａ、コアネットワーク交換機４と、を含んで構成される。セルＣＥ１は、マクロ基地局装置２のセルである。移動局装置１ｂ、マクロ基地局装置２、ＬＰＮ３ａはセルＣＥ１内に位置する。マクロ基地局装置２とＬＰＮ３ａとは、コアネットワーク交換機４を介して接続される。マクロ基地局装置２とＬＰＮ３ａとの間で送受信する情報は、遅延がなしで、もしくは、わずかな遅延量で共有される。なお、各装置の数は、一例であり、これに限定されない。
【０１４０】
移動局装置１ｂは、マクロ基地局装置２またはＬＰＮ３の少なくとも一方と無線通信を行う。ただし、マクロ基地局装置２、ＬＰＮ３ａには、同一のセルＩＤが割り当てられている。すなわち、移動局装置１ｂは、セルＩＤを用いて通信相手がマクロ基地局装置２であるかＬＰＮ３であるかを識別することはできない。
【０１４１】
マクロ基地局装置２およびＬＰＮ３ａは、それぞれセルＩＤに基づく参照信号を生成する。マクロ基地局装置２およびＬＰＮ３ａは、各々生成した参照信号を移動局装置１ｂに送信する。なお、ここでは該参照信号としてＣＲＳを用いて説明するが、同様にセルＩＤに基づく参照信号であればこれに限定されない。マクロ基地局装置２およびＬＰＮ３ａは、移動局装置１ｂに下りデータ信号を送信する。
【０１４２】
なお、下りデータ信号は、マクロ基地局装置２およびＬＰＮ３ａのいずれかから送信されても良いし、マクロ基地局装置２とＬＰＮ３ａが共に同一の下りデータ信号を協調して送信しても良い。
【０１４３】
本実施形態に係るマクロ基地局装置２と、第１の実施形態に係るマクロ基地局装置２とを比較すると、同様の構成であるので、説明は省略する。
図１２は、本実施形態に係るＬＰＮ３ａの構成の一例を示す概略ブロック図である。
本実施形態に係るＬＰＮ３ａと第１の実施形態に係るＬＰＮ３とを比較すると、送信電力決定部３０７ａと、マッピング部３０３ａとが異なる。それ以外の構成は、同様であるので、説明は省略する。
【０１４４】
送信電力決定部３０７ａは、ＣＲＳを送信するための送信電力Ｐｔ０を決定する。送信電力決定部３０７ａは、決定した送信電力Ｐｔ０をマッピング部３０３ａに出力する。送信電力Ｐｔ０は、上り回線の参照信号（図示せず）に基づいて決定されてもよいし、上位レイヤ（図示せず）により指定された値により決定されてもよい。
マッピング部３０３ａは、式（３）で決定される第１のサブキャリア群ｋ１にＣＲＳを配置する。マッピング部３０３ａは、次式（１３）で決定される第２のサブキャリア群ｋ２’（Ｐｔ０）に複製したＣＲＳを配置する。
【０１４５】
【数１３】
2014045350.tif 000015
【０１４６】
ここで、ｎ’（Ｐｔ０）は、マッピング部３０３ａに入力されるＣＲＳの送信電力Ｐｔ０により一意に定められる周波数間隔であり、任意のテーブルや数式等を用いて決定される。
【０１４７】
図１３のテーブルＴ１は、送信電力Ｐｔ０と周波数間隔ｎ’（Ｐｔ０）の関係を示すテーブルの一例である。ここで、送信電力は、Ｐｔ０＝３０ｄＢｍから２ｄＢ減少する毎に、周波数間隔がｎ’（Ｐｔ０）＝１（サブキャリア）から１サブキャリアずつ増加する場合を示している。
また、式（１４）は、送信電力Ｐｔ０から周波数間隔ｎ’（Ｐｔ０）を決定する数式の一例である。
【０１４８】
【数１４】
2014045350.tif 000016
【０１４９】
ただし、ｆｌｏｏｒ（ｘ）はｘ以下の最大の整数を示す床関数である。
【０１５０】
図１４、および図１５は、図１３のテーブルＴ１を用いた際にν＋νshift＝０である場合のマッピング部３０３ａにおけるＣＲＳの配置の一例である。
図１４は、送信電力Ｐｔ０＝２７ｄＢの場合のＣＲＳの配置であり、マッピング部３０３ａは、ｒ（０）、ｒ（１）、ｒ（２）、ｒ（３）が、それぞれ、ｋ１＝０、６、１２、１８に配置する。図１４は、図１３よりｎ’（２７）＝２であることから、マッピング部３０３ａは、ｋ２＝２、８、１４、２０に複製して配置する。一方、図１５は、送信電力Ｐｔ０＝２３ｄＢの場合のＣＲＳの配置であり、マッピング部３０３ａは、複製したＣＲＳが、ｎ’（２３）＝４であることから、ｋ２＝４、１０、１６、２２に配置する。
【０１５１】
マッピング部３０３ａは、データ信号生成部３０１から入力されたデータ信号を、データ伝送に割り当てられた帯域のうちＣＲＳが配置されていないサブキャリアに配置する。マッピング部３０３ａは、ＣＲＳおよびデータ信号が配置した信号をＩＦＦＴ部３０４に出力する。
【０１５２】
図１６は、本実施形態に係る移動局装置１ｂの構成の一例を示す概略ブロック図である。
本実施形態に係る移動局装置１ｂと、第１の実施形態に係る移動局装置１とを比較すると、相関算出部１０４ｂと、デマッピング部１０５ｂと、パスロス算出部１０６ｂとが異なる。それ以外の構成は同様であるので、説明は省略する。
【０１５３】
相関算出部１０４ｂは、ＦＦＴ部１０３から入力される周波数信号に対して、式（３）より算出される第１のサブキャリア群ｋ１で受信したＮＣＲＳ箇所の周波数特性Ｘ（ｍ）（ｍ＝０、１、…、ＮＣＲＳ−１）と、ｋ１に周波数間隔ｎ’を足した位置の第２のサブキャリア群ｋ２で受信したＮＣＲＳ箇所の周波数特性Ｙ’（ｍ、ｎ’）（ｍ＝０、１、…、ＮＣＲＳ−１）（候補サブキャリア群）との相関値Ｃ（ｎ’）を次式（１５）により算出する。
【０１５４】
【数１５】
2014045350.tif 000017
【０１５５】
ここで、周波数間隔ｎ’は、０〜５の整数である。相関算出部１０４ｂは、最も高いＣ（ｎ’）が検出されたｎ’において複製したＣＲＳが送信されたものと判定する。相関算出部１０４ｂは、Ｃ（ｎ’）のいずれも、予め定められた閾値を超えなかった場合、複製したＣＲＳは配置されていない、すなわち、マクロ基地局装置２から送信されたＣＲＳを受信したと判定する。相関算出部１０４は、判定されたｎ’の値、もしくは識別情報をデマッピング部１０５ｂ、およびパスロス算出部１０６ｂに出力する。
【０１５６】
デマッピング部１０５ｂは、ＦＦＴ部１０３から入力された周波数信号と、相関算出部１０４ｂから入力された識別情報とに基づき、基地局装置がマクロ基地局装置２であった場合、式（３）で算出される第１のサブキャリア群ｋ１の信号を参照信号として抽出する。デマッピング部１０５ｂは、抽出した参照信号をパスロス算出部１０６ｂに出力する。
【０１５７】
一方、デマッピング部１０５ｂは、基地局装置がＬＰＮ３ａであった場合、式（３）で算出される第１のサブキャリア群ｋ１の信号と、第１のサブキャリアｋ１に通知されたｎ’の値を加算した第２のサブキャリア群ｋ２の信号を参照信号として抽出する。デマッピング部１０５ｂは、抽出した参照信号をパスロス算出部１０６ｂに出力する。また、下りデータ信号が存在する場合、デマッピング部１０５ｂは、自装置に割り当てられた帯域の信号をデータ信号として抽出する。デマッピング部１０５ｂは、抽出したデータ信号をデータ信号処理部１０７に出力する。
【０１５８】
パスロス算出部１０６ｂは、相関算出部１０４ｂから入力されたｎ’の値に基づき、受信したＣＲＳの送信電力Ｐｔを推定する。ただし、識別情報入力された場合、パスロス算出部１０６ｂは、上位レイヤで通知されたＲｅｆｅｒｅｎｃｅＳｉｇｎａｌＰｏｗｅｒをＰｔとする。パスロス算出部１０６ｂは、相関算出部１０４ｂから入力されたｎ’の値に基づき、マッピング部３０３ａで用いた周波数間隔ｎ´の決定方法に対応したテーブルあるいは数式を用いてＰｔを決定する。
【０１５９】
図１７のテーブルＴ２は、図１３に示すテーブルＴ１でｎ´を決定した場合に本実施形態に係るパスロス算出部１０６ｂで決定される送信装置の送信電力Ｐｔと周波数間隔ｎ’の値のテーブルの一例を示す図である。
図１３に示すようにテーブルＴ２は、周波数間隔ｎ’の値、送信電力Ｐｔの各項目の列を有している。テーブルＴ２は、周波数間隔ｎ’の値毎に対応する送信電力Ｐｔが格納される行と列からなる２次元の表形式のデータである。
【０１６０】
図１７は、周波数間隔ｎ’が１、２、３、４、５（サブキャリア）である場合に、Ｐｔをそれぞれ３０、２８、２６、２４、２２（ｄＢｍ）としている。パスロス算出部１０６ｂは、周波数間隔ｎ’の値に対して送信電力Ｐｔを決定する。これより、パスロス算出部１０６ｂは、受信した参照信号の送信電力Ｐｔを推定する。
また、式（１６）は、式（１５）を用いてｎ’を決定した場合に、本実施形態に係るパスロス算出部１０６ｂにおける、送信装置の送信電力Ｐｔの算出に用いる数式の一例である。
【０１６１】
【数１６】
2014045350.tif 000018
【０１６２】
パスロス算出部１０６ｂは、デマッピング部１０５ｂから入力された参照信号の受信電力をＲＳＲＰとして算出する。なお、時刻ｔにおけるＲＳＲＰは、例えば、式（６）を用いて算出して良い。パスロス算出部１０６ｂは、決定（算出）した送信電力ＰｔおよびＲＳＲＰ（ｔ）より式（１０）を用いてパスロスを算出する。
【０１６３】
なお、第３の実施形態では、ＣＲＳと複製する周波数間隔をＬＰＮ３ａの送信電力に対応させることで、移動局装置１ｂにおけるＬＰＮ３ａの送信電力の推定精度の向上を図ったが、ＣＲＳを送信するＬＰＮ毎に異なる周波数間隔を割当てる形態にしてもよい。この場合、ＬＰＮ３ａと周波数間隔の対応関係が移動局装置１ｂで既知であれば、移動局装置１ｂは、受信したＣＲＳがどのＬＰＮ３ａから送信されたものかを識別できる。
【０１６４】
このように、本実施形態によれば、送信装置群（マクロ基地局装置２、ＬＰＮ３ａ）に含まれる第１の送信装置（マクロ基地局装置２）は、第１のサブキャリア群ｋ１に参照信号系列を配置して参照信号を送信する。送信装置群（マクロ基地局装置２、ＬＰＮ３ａ）に含まれる第２の送信装置（ＬＰＮ３ａ）は、第２のサブキャリア群ｋ２に参照信号系列を配置し、該参照信号系列の少なくとも一部を、第１のサブキャリア群ｋ１からＣＲＳの送信電力に基づいて決定される周波数間隔に位置する第２のサブキャリア群ｋ２のサブキャリア各々に更に配置して参照信号を送信する。
【０１６５】
第１の送信装置（マクロ基地局装置２）と第２の送信装置（ＬＰＮ３ａ）は、参照信号を送信する際のサブキャリア当りの送信電力が異なる。受信装置（移動局装置１ｂ）は、第１のサブキャリア群ｋ１に配置された参照信号と、第１のサブキャリア群ｋ１の各々のサブキャリアと一定の周波数間隔のサブキャリアから成るサブキャリア分に配置された参照信号との相関値を算出し、相関値が最も高くなる一定の周波数間隔を算出する。
【０１６６】
受信装置（移動局装置１ｂ）は、相関値が最も高くなる一定の周波数間隔に基づいて、送信装置群（マクロ基地局装置２、ＬＰＮ３ａ）から受信した前記参照信号の送信電力を推定する。
【０１６７】
このように、ＬＰＮ３ａがＣＲＳを送信する送信電力に対応した周波数間隔で同一のＣＲＳを複製して送信することにより、受信装置（移動局装置１ｂ）は、受信したＣＲＳの送信電力を推定することができ、パスロスの推定精度を向上させる事ができる。
【０１６８】
なお、上述した実施形態における移動局装置１−１、１−２、１、１ａ、１ｂ、基地局装置（マクロ基地局装置２、ＬＰＮ３、３ａ）の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。
【０１６９】
なお、ここでいう「コンピュータシステム」とは、移動局装置１−１、１−２、１、１ａ、１ｂ、基地局装置（マクロ基地局装置２、ＬＰＮ３、３ａ）に内蔵されたコンピュータシステムであって、ＯＳや周辺機器等のハードウェアを含むものとする。
また、「コンピュータ読み取り可能な記録媒体」とは、フレキシブルディスク、半導体媒体、光磁気ディスク、ＲＯＭ、ＣＤ−ＲＯＭ、ＤＶＤ、ＭＯ、ＭＤ、ＣＤ、ＢＤ等の可搬媒体、コンピュータシステムに内蔵されるハードディスク等の記憶装置のことをいう。
【０１７０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。
【０１７１】
また上記プログラムは、前述した機能の一部を実現するためのものであってもよく、さらに前述した機能をコンピュータシステムにすでに記録されているプログラムとの組み合わせで実現できるものであっても良い。また、上記プログラムは、上記の実施形態の機能が実現されるだけでなく、そのプログラムの指示に基づき、オペレーティングシステムあるいは他のアプリケーションプログラム等と共同して処理することにより、本発明の機能が実現される場合もある。
【０１７２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。
【０１７３】
また、上述した実施形態における移動局装置１−１、１−２、１、１ａ、１ｂ、基地局装置（マクロ基地局装置２、ＬＰＮ３、３ａ）の一部、または全部を、ＬＳＩ（Ｌａｒｇｅ  Ｓｃａｌｅ  Ｉｎｔｅｇｒａｔｉｏｎ）等の集積回路として実現しても良い。移動局装置１−１、１−２、１、１ａ、１ｂ、基地局装置（マクロ基地局装置２、ＬＰＮ３、３ａ）の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いてもよい。
【０１７４】
以上、図面を参照してこの発明の一実施形態について詳しく説明してきたが、具体的な構成は上述のものに限られることはなく、この発明の要旨を逸脱しない範囲内において様々な設計変更等をすることが可能である。本発明の一態様は、携帯端末装置を移動局装置とする移動体通信システムに用いることが好ましいが、これに限定されない。
【０１７５】
なお、本発明の各実施形態において符号を付さずに基地局装置と表記したものは、マクロ基地局装置、およびＬＰＮを含んだ基地局装置を意味している。また、これらの基地局装置を送信装置群とも呼び、各々の基地局装置を第１の送信装置、第２の送信装置と読み替えることができる。また、同様に移動局装置は、受信装置と読み替えることができる。
【符号の説明】
【０１７６】
１、１−１、１−２、１ａ、１ｂ  移動局装置
２  マクロ基地局装置
３、３ａ  ＬＰＮ
４  コアネットワーク交換機
１０１  受信アンテナ
１０２  無線受信部
１０３  ＦＦＴ部
１０４、１０４ｂ  相関算出部
１０５、１０５ｂ  デマッピング部
１０６、１０６ｂ  パスロス算出部
１０７  データ信号生成部
１０８ａ  キャンセル部
１０９  上り信号生成部
１１０  送信電力制御部
１１１  送信アンテナ
２０１  データ信号生成部
２０２  参照信号生成部
２０３  マッピング部
２０４  ＩＦＦＴ部
２０５  無線送信部
２０６  アンテナ
３０１  データ信号生成部
３０２  参照信号生成部
３０３、３０３ａ  マッピング部
３０４  ＩＦＦＴ部
３０５  無線送信部
３０６  アンテナ
３０７ａ  送信電力決定部
【図１】
2014045350.tif 000019
【図２】
2014045350.tif 000020
【図３】
2014045350.tif 000021
【図４】
2014045350.tif 000022
【図５】
2014045350.tif 000023
【図６】
2014045350.tif 000024
【図７】
2014045350.tif 000025
【図８】
2014045350.tif 000026
【図９】
2014045350.tif 000027
【図１０】
2014045350.tif 000028
【図１１】
2014045350.tif 000029
【図１２】
2014045350.tif 000030
【図１３】
2014045350.tif 000031
【図１４】
2014045350.tif 000032
【図１５】
2014045350.tif 000033
【図１６】
2014045350.tif 000034
【図１７】
2014045350.tif 000035